(57)【要約】【課題】  時間指定によるマニュアル予約やＧコードの入力で所望の番組について録画予約をした場合に、放送時間の変更やその他の事情によって予約通りに録画できない状態を事前に回避する。【解決手段】  テレビ放送を受信するチューナ・バックエンド１によって受信されたＥＰＧ情報を記憶するＥＰＧ情報記憶部４と、そのＥＰＧ情報に拠らずに入力された任意の放送情報についての録画予約情報を記憶する録画予約部８と、記憶された録画予約情報とＥＰＧ情報との内容の一致を比較する情報比較部９と、録画予約情報とＥＰＧ情報とに内容の一致がない場合には、不一致である旨および録画予約情報を訂正する旨のメッセージを表示装置３に表示する。【選択図】  図１
2005303774.tif 000002
【特許請求の範囲】
【請求項１】
テレビ放送の画像情報および音声情報を含む放送情報と放送情報の番組内容を案内する番組案内情報とを受信する受信手段と、
前記受信手段によって受信された番組案内情報を記憶する第１の記憶手段と、
前記第１の記憶手段に記憶された番組案内情報に拠らずに入力された任意の放送情報についての録画予約のチャンネルおよび録画開始から録画終了までの録画時間を録画予約情報として記憶する第２の記憶手段と、
前記第２の記憶手段に記憶された録画予約情報と前記第１の記憶手段に記憶された番組案内情報との内容の一致を比較する比較手段と、
前記第２の記憶手段に記憶された録画予約情報と前記第１の記憶手段に記憶された番組案内情報とに内容の一致がないことが前記比較手段の比較結果によって判明した場合には、前記入力された録画予約の放送情報を正常に録画するための補完処理を行う録画補完手段と、
を備えた録画予約システム。
【請求項２】
前記録画補完手段は、前記第２の記憶手段に記憶された録画予約情報と前記第１の記憶手段に記憶された番組案内情報とに内容の一致がないことが判明した場合には、内容の一致がない旨および前記録画予約情報の訂正を促す旨のメッセージを所定の表示手段に表示することを特徴とする請求項１に記載の録画予約システム。
【請求項３】
前記録画補完手段は、前記第２の記憶手段に記憶された録画予約情報と前記第１の記憶手段に記憶された番組案内情報とに内容の一致がないことが判明した場合には、前記第１の記憶手段に記憶された番組案内情報に基づいて前記第２の記憶手段に記憶された録画予約情報を訂正することを特徴とする請求項１に記載の録画予約システム。
【請求項４】
前記録画補完手段は、前記第２の記憶手段に録画予約情報が記憶された後に、当該録画予約情報と前記受信手段によって新たに受信されて前記第１の記憶手段に記憶された新たな番組案内情報とに内容の一致がないことが判明した場合には、内容の一致がない旨および前記録画予約情報の訂正を促す旨のメッセージを所定の表示手段に表示することを特徴とする請求項１に記載の録画予約システム。
【請求項５】
前記録画補完手段は、前記第２の記憶手段に録画予約情報が記憶された後に、当該録画予約情報と前記受信手段によって新たに受信されて前記第１の記憶手段に記憶された新たな番組案内情報とに内容の一致がないことが判明した場合には、前記第１の記憶手段に記憶された新たな番組案内情報に基づいて前記第２の記憶手段に記憶された録画予約情報を訂正することを特徴とする請求項１に記載の録画予約システム。
【請求項６】
前記比較手段は、録画予約された放送情報に対して規定されている特定の録画条件が所定の期限までに満たされているか否かを前記第２の記憶手段に記憶された録画予約情報および前記第１の記憶手段に記憶された番組案内情報に基づいて比較し、前記録画補完手段は、前記比較手段によって前記特定の録画条件が前記所定の期限までに満たされていないことが判明した場合には、録画開始前若しくは録画中又は録画終了後に、前記特定の録画条件を所定の表示手段の画面に表示することを特徴とする請求項１に記載の録画予約システム。
【請求項７】
テレビ放送の画像情報および音声情報を含む放送情報と放送情報の番組内容を案内する番組案内情報とを受信する第１のステップと、
前記第１のステップによって受信された番組案内情報を第１の記憶手段に記憶する第２のステップと、
前記第１の記憶手段に記憶された番組案内情報に拠らずに入力された任意の放送情報についての録画予約のチャンネルおよび録画開始から録画終了までの録画時間を録画予約情報として第２の記憶手段に記憶する第３のステップと、
前記第２の記憶手段に記憶された録画予約情報と前記第１の記憶手段に記憶された番組案内情報との内容の一致を比較する第４のステップと、
前記第２の記憶手段に記憶された録画予約情報と前記第１の記憶手段に記憶された番組案内情報とに内容の一致がないことが前記第４のステップの比較結果によって判明した場合には、前記入力された録画予約の放送情報を正常に録画するための補完処理を行う第５のステップと、
を実行する録画予約処理のプログラム。
【発明の詳細な説明】
【技術分野】
【０００１】
本発明は、テレビ放送の録画予約システムおよび録画予約処理のプログラムに関し、特に、受信する電子番組案内（ＥＰＧ）を利用した録画予約システムおよび録画予約処理のプログラムに関するものである。
【背景技術】
【０００２】
近年、放送衛星（ＢＳ）を利用したＢＳディジタル放送や通信衛星（ＣＳ）を利用したＣＳディジタル放送が普及している。さらに、２００３年１２月からは一部の地域で地上波ディジタル放送が開始された。このようなディジタルテレビ放送においては、放送される番組の情報である放送局（チャンネル）の指定、放送時間、番組名、ジャンル、番組内容などがＥＰＧ（Electronic Program Guide）情報と称される電子番組表又は電子番組案内として電波に多重化されて放送される。ユーザは、テレビ受信機の画面に表示されたＥＰＧによって、録画する番組を予約することができる。その他の録画予約としては、時間指定によるマニュアル予約の方法、又は、新聞の番組欄のＧコードを入力する方法がある。
【０００３】
さらに、インターネットを利用した録画予約の提案もある。例えば、ある提案のテレビ放送受信装置においては、ＥＰＧ番組表からだけではなく、インターネット上の一般的な番組表サイトのＷｅｂ番組表を含む、テレビ画面に表示可能な全てのテレビ番組表から、所望の放送番組の録画あるいは視聴予約を行うための構成が示されている。この提案の構成によれば、テレビ放送に含まれる番組情報を入手する番組情報入手手段と、テレビ画面の任意の位置を指示する指示手段と、指示されたテレビ画面上の画像から文字列を認識する認識手段と、認識した文字列の中から、番組情報を検索するためのキーワードを抽出する抽出手段と、抽出したキーワードを使って、番組情報の中から関連のある番組を検索する検索手段を備えている。（特許文献１）
【０００４】
また、別の提案による受信装置においては、ＥＰＧの画面を滑らかにスクロールするための構成が示されている。この提案の構成によれば、ディジタルテレビ放送のトランスポンダ（分割された帯域）を受信する第１および第２のフロントエンド回路と、これら第１および第２のフロントエンド回路の受信したトランスポンダに含まれるＥＰＧのデータを蓄積するメモリ回路と、このメモリ回路に蓄積されたＥＰＧのデータにしたがって番組表として表示される画像信号を形成する回路と、第１および第２のフロントエンド回路の受信するトランスポンダを制御する制御回路を有し、制御回路の制御が、第１のフロントエンド回路により受信されてメモリ回路に蓄積されたトランスポンダのＥＰＧのデータを使用して番組表を表示している期間には、第２のフロントエンド回路が別のトランスポンダを受信して番組表の表示に次に必要になるであろうＥＰＧのデータをメモリ回路に蓄積し、かつ、第２のフロントエンド回路により受信されてメモリ回路に蓄積されたトランスポンダのＥＰＧのデータを使用して番組表を表示している期間には、第１のフロントエンド回路が別のトランスポンダを受信して番組表の表示に次に必要になるであろうＥＰＧのデータをメモリ回路に蓄積する。（特許文献２）
【特許文献１】特開２００３−９０３０号公報
【特許文献２】特開２００３−３３３４４４号公報
【発明の開示】
【発明が解決しようとする課題】
【０００５】
しかしながら、ＥＰＧを利用して録画予約を行う方法は、時間指定によるマニュアル予約の方法、又は、新聞の番組欄のＧコードを入力する方法に比べると、テレビ画面上の予約操作が複雑である。すなわち、上記特許文献２にも記載されているように、ＥＰＧのデータを使って番組表を表示すると、横軸が時刻で、縦軸がチャンネルの番組表が表示される。視聴者が時刻方向のスクロールを指示すると、番組表は横方向にスクロールされ、そのとき画面に表示されていない時刻の番組が表示され、チャンネル方向のスクロールを指示すると、番組表は縦方向にスクロールされ、そのとき画面に表示されていないチャンネルの番組が表示される。
このため、従来の時間指定によるマニュアル予約の方法、又は、新聞の番組欄のＧコードを入力する方法に慣れているユーザにとって、自分が視聴したい番組が仕事などの都合で視聴できない場合には、出かける前に録画予約時刻とチャンネルを指定すればよいので、わざわざＥＰＧの画面を表示させて、慣れていない複雑な操作で録画予約するのは面倒である。特に、高齢者のユーザの多くは、従来の操作方法から新しい別の操作方法を習得することは大きな負担であり、従来の操作方法で録画予約が可能ならばその方法を選択する傾向が強い。
【０００６】
ところが、従来の時間指定によるマニュアル予約の方法、又は、新聞の番組欄のＧコードを入力する方法で録画予約をする場合には、操作方法が簡単である反面、放送局の都合や番組の内容によって、録画予約後に放送時間が変更されたときは、視聴したい番組が録画できないという課題があった。例えば、プロ野球などのスポーツ番組が延長されて終了時刻が予定よりも遅くなる場合や、突発的な災害その他の事件によって、予定されていなかった特別な報道番組が割り込んで放送される場合がある。このような場合に、次の番組に合わせて録画開始時刻を設定していたならば、その番組を正常に録画することができない。
あるいは、国際標準化団体であるＴＶ−Ａｎｙｔｉｍｅフォーラムでは、権利管理と保護のための情報を標準化することが検討されているので、著作権やその他のコンテンツに関する権利により録画が有料であることから、あらかじめ料金を支払っていない場合には、録画予約した番組が録画できないという課題も予想される。
本発明は、このような従来の課題や予測される将来の課題を解決するためのものであり、時間指定によるマニュアル予約やＧコードの入力で所望の番組について録画予約をした場合に、放送時間の変更やその他の事情によって予約通りに録画できない状態を事前に回避することを目的とする。
【課題を解決するための手段】
【０００７】
請求項１に記載のテレビ放送の録画予約システムは、テレビ放送の画像情報および音声情報を含む放送情報と放送情報の番組内容を案内する番組案内情報（実施形態においては、ＥＰＧ情報に相当する）とを受信する受信手段（実施形態においては、図１のチューナ・バックエンド１に相当する）と、受信手段によって受信された番組案内情報を記憶する第１の記憶手段（実施形態においては、図１のＥＰＧ情報記憶部４に相当する）と、第１の記憶手段に記憶された番組案内情報に拠らずに入力（実施形態においては、時間指定によるマニュアル予約又はＧコードの入力に相当する）された任意の放送情報についての録画予約のチャンネルおよび録画開始から録画終了までの録画時間を録画予約情報として記憶する第２の記憶手段（実施形態においては、録画予約部８に相当する）と、第２の記憶手段に記憶された録画予約情報と第１の記憶手段に記憶された番組案内情報との内容の一致を比較する比較手段（実施形態においては、図１の情報比較部９に相当する）と、第２の記憶手段に記憶された録画予約情報と第１の記憶手段に記憶された番組案内情報とに内容の一致がないことが比較手段の比較結果によって判明した場合には、入力された録画予約の放送情報を正常に録画するための補完処理を行う録画補完手段（実施形態においては、図１の比較結果処理部１１および制御部１３に相当する）と、を備えた構成になっている。
【０００８】
請求項１に記載の録画予約システムにおいて、請求項２に記載したように、録画補完手段は、第２の記憶手段に記憶された録画予約情報と第１の記憶手段に記憶された番組案内情報とに内容の一致がないことが判明した場合には、内容の一致がない旨および録画予約情報の訂正を促す旨のメッセージを所定の表示手段（実施形態においては、図１の表示装置３に相当する）に表示するような構成にしてもよい。
【０００９】
請求項１に記載の録画予約システムにおいて、請求項３に記載したように、録画補完手段は、第２の記憶手段に記憶された録画予約情報と第１の記憶手段に記憶された番組案内情報とに内容の一致がないことが判明した場合には、第１の記憶手段に記憶された番組案内情報に基づいて第２の記憶手段に記憶された録画予約情報を訂正するような構成にしてもよい。
【００１０】
請求項１に記載の録画予約システムにおいて、請求項４に記載したように、録画補完手段は、第２の記憶手段に録画予約情報が記憶された後に、当該録画予約情報と受信手段によって新たに受信されて第１の記憶手段に記憶された新たな番組案内情報（実施形態においては、録画予約された後に更新されたＥＰＧ情報に相当する）とに内容の一致がないことが判明した場合には、内容の一致がない旨および録画予約情報の訂正を促す旨のメッセージを所定の表示手段（実施形態においては、図１の表示装置３に相当する）に表示するような構成にしてもよい。
【００１１】
請求項１に記載の録画予約システムにおいて、請求項５に記載したように、録画補完手段は、第２の記憶手段に録画予約情報が記憶された後に、当該録画予約情報と受信手段によって新たに受信されて第１の記憶手段に記憶された新たな番組案内情報（実施形態においては、録画予約された後に更新されたＥＰＧ情報に相当する）とに内容の一致がないことが判明した場合には、第１の記憶手段に記憶された新たな番組案内情報に基づいて第２の記憶手段に記憶された録画予約情報を訂正するような構成にしてもよい。
【００１２】
請求項１に記載の録画予約システムにおいて、請求項６に記載したように、比較手段は、録画予約された放送情報に対して規定されている特定の録画条件（実施形態においては、録画が有料である条件に相当する）が所定の期限までに満たされているか否かを第２の記憶手段に記憶された録画予約情報および第１の記憶手段に記憶された番組案内情報に基づいて比較し、録画補完手段は、比較手段によって特定の録画条件が所定の期限までに満たされていないことが判明した場合には、録画開始前若しくは録画中又は録画終了後に、特定の録画条件を所定の表示手段（実施形態においては、表示装置３に相当する）の画面に表示するような構成にしてもよい。
【００１３】
請求項７に記載の録画予約処理のプログラムは、テレビ放送の画像情報および音声情報を含む放送情報と放送情報の番組内容を案内する番組案内情報とを受信する第１のステップと、第１のステップによって受信された番組案内情報（実施形態においては、ＥＰＧ情報に相当する）を第１の記憶手段（実施形態においては、図１のＥＰＧ情報記憶部４に相当する）に記憶する第２のステップと、第１の記憶手段に記憶された番組案内情報に拠らずに入力（実施形態においては、時間指定によるマニュアル予約又はＧコードの入力に相当する）された任意の放送情報についての録画予約のチャンネルおよび録画開始から録画終了までの録画時間を録画予約情報として第２の記憶手段（実施形態においては、図１の録画予約部８に相当する）に記憶する第３のステップと、第２の記憶手段に記憶された録画予約情報と第１の記憶手段に記憶された番組案内情報との内容の一致を比較する第４のステップと、第２の記憶手段に記憶された録画予約情報と第１の記憶手段に記憶された番組案内情報とに内容の一致がないことが第４のステップの比較結果によって判明した場合には、入力された録画予約の放送情報を正常に録画するための補完処理を行う第５のステップと、を実行する。
【発明の効果】
【００１４】
本発明における録画予約システムおよび録画予約処理のプログラムによれば、時間指定によるマニュアル予約やＧコードの入力で所望の番組について録画予約をした場合に、放送時間の変更やその他の事情によって予約通りに録画できない状態を事前に回避できるという効果が得られる。
【発明を実施するための最良の形態】
【００１５】
以下、本発明による録画予約システムの第１実施形態ないし第５実施形態について、地上波ディジタル放送を受信して録画する場合を例に採って、図を参照して説明する。
図１は、各実施形態に共通するテレビ放送の録画予約システムの概略的な構成を示す図である。この録画予約システムの具体例としては、テレビ受信装置とビデオテープやＤＶＤ（ディジタル・ビデオ・ディスク）に録画するビデオ録画／再生装置との組み合わせ、スタンドアローンとしてのビデオ録画／再生装置、ビデオ録画／再生装置を内蔵したテレビ受信装置、テレビ受信チューナおよびビデオ録画用のハードディスクを備えたパソコン、インターネットなどのネットワークを介して接続された録画設定の端末装置とその端末装置からの録画依頼を受けて録画および録画後の配信サービスを行うサーバとの組み合わせなどがある。図１の録画予約システムは、これらの具体例を包含する構成になっている。
【００１６】
図１において、チューナ・バックエンド１は、地上波ディジタル放送を受信して復号化やその他の信号処理を行って、画像情報、音声情報、文字情報を出力する。文字情報としては、ニュース速報などのテキスト情報やメニュー画面のような絵文字情報の他に、放送情報の番組内容を案内するための電子番組案内すなわちＥＰＧ情報がある。ＥＰＧ情報は、１日の間に所定回数放送されるとともに、放送される番組に変更があったときに放送される。グラフィックコントローラ２は、チューナ・バックエンド１から出力される画像情報および文字情報を１画面（１フレーム）の画像に展開して出力する。表示装置３は、ＣＲＴ（ブラウン管）、ＬＣＤ（液晶ディスプレイ）、ＰＤＰ（プラズマ・ディスプレイ）などで構成され、グラフィックコントローラ２から出力される画像情報や文字情報を表示する。すなわち、チューナ・バックエンド１、グラフィックコントローラ２、および表示装置３によって、地上波ディジタル放送の受信装置を構成する。
【００１７】
ＥＰＧ情報記憶部４は、チューナ・バックエンド１から出力されるＥＰＧ情報を記憶する。ＥＰＧ情報読取部５は、ＥＰＧ情報記憶部４に記憶されたＥＰＧ情報の中から、後述する制御部によって指定された番組のＥＰＧ情報を読み取って出力する。録画予約入力部６は、テレビ受信装置、ビデオ録画装置、録画設定の端末装置などのスイッチ部やリモコン、あるいはパソコンのキーボードやマウス（以下、代表して「スイッチ部」という）からのコマンドやデータを入力する入力手段であり、入力されたコマンドに応じて、ＥＰＧ情報記憶部４に記憶されたＥＰＧ情報をグラフィックコントローラ２に出力して、表示装置３に表示させる。さらに、録画予約入力部６は、ＥＰＧ情報に拠らず、時間指定によるマニュアル予約又はＧコードに拠って入力された任意の放送情報に対する録画予約のチャンネルおよび録画時間、すなわち録画予約情報を一時的に記憶する。録画予約情報読取部７は、録画予約入力部６から出力されて録画予約部８に記憶される録画予約情報を読み取って出力する。録画予約部８は、年月日および時刻を計時する計時手段および不揮発性のメモリを備え、録画予約入力部６から出力される録画予約情報をメモリに記憶して、その記憶した録画予約情報と計時手段から得られる年月日および時刻に基づいて、チャンネル設定コマンド、録画モードコマンド、録画開始コマンド、録画終了コマンドなどの録画指示コマンドを随時出力する。
【００１８】
情報比較部９は、ＥＰＧ情報読取部５から出力されるＥＰＧ情報、および、録画予約情報読取部７から出力される録画予約情報を抽出して、これら２つの情報に内容の一致があるか否かを比較する。例えば、録画予約入力部６に入力されたユーザのデータに誤りがある場合には２つの情報に内容の一致がない。あるいは、前日に予定されていた放送時間が放送当日に変更された場合にも２つの情報に内容の一致がない。あるいはまた、著作権などの関係により録画が有料であるにもかかわらず、支払いがされていない場合には、録画後の支払いを認めていない番組のコンテンツについては２つの情報に内容の一致がない。
比較結果処理部１０は、情報比較部９によってＥＰＧ情報および録画予約情報の内容の比較結果に応じて、２つの情報に内容の一致がない場合には、後述する制御部と協働して、入力された録画予約の放送情報を正常に録画するための補完処理を行う。補完処理の内容については、後述する各実施形態の動作において詳細に説明する。比較データ記憶部１１は、ＥＰＧ情報および録画予約情報における内容の一致を比較する項目のデータを記憶し、情報比較部９は比較の際にそのデータを読み出す。
【００１９】
録画／再生装置１２は、チューナ・バックエンド１から出力される画像情報および音声情報を記録する記録部、記録した画像情報および音声情報を再生する再生部、再生された画像情報および音声情報を表示装置３に出力するグラフィックコントローラなど（いずれも図示せず）を備えている。制御部１３は、上記したスイッチ部からのコマンド、録画予約部８から出力される録画指示コマンド、および、比較結果処理部１０から出力される比較結果に応じて、グラフィックコントローラ２および録画／再生装置１２を制御する。すなわち、録画も再生もない場合には、グラフィックコントローラ２から出力される放送中の画像情報や文字情報をリアルタイムで表示装置３に出力し、再生のコマンドを受けた場合には、録画／再生装置１２から出力される画像情報や文字情報を表示装置３に出力し、録画の場合には、スイッチ部によって設定された表示モードにしたがって、グラフィックコントローラ２又は録画／再生装置１２から出力される画像情報や文字情報を表示装置３に出力する。
【００２０】
図２は、図１のテレビ放送の録画予約システムにおける各実施形態に共通のメインルーチンのフローチャートである。所定のイニシャライズ（ステップＳＡ１）の後は、スイッチ部から入力されるコマンドやデータを取り込むスイッチ処理（ステップＳＡ２）、チューナ・バックエンド１を動作させて地上波ディジタル放送を受信する放送受信処理（ステップＳＡ３）、録画予約部８から得られる録画予約情報を取り込む録画予約処理（ステップＳＡ４）、録画／再生装置１２に録画を指示する録画処理（ステップＳＡ５）、録画／再生装置１２に再生を指示する再生処理（ステップＳＡ６）、その他の処理（ステップＳＡ７）のループ処理を繰り返す。
【００２１】
なお、このメインルーチンにおける各ステップにおける処理については、制御部１３だけでなく、録画予約入力部６、録画予約部８、録画予約情報読取部７、ＥＰＧ情報読取部５、情報比較部９、比較結果処理部１０の協働によって実行される。
また、ステップＳＡ４における録画予約処理は、時間指定によるマニュアル予約やＧコードの入力で録画予約をする場合と、表示装置３の画面に表示されたＥＰＧ情報に基づいて録画予約をする場合とがあるが、本発明の特徴を明確にするために、以下の各実施形態においては、時間指定によるマニュアル予約やＧコードの入力で録画予約をする場合の録画予約処理のみについて説明する。
【００２２】
次に、図２のステップＳＡ４における第１実施形態の録画予約処理の動作について、図３のフローチャートを参照して説明する。
まず、録画予約画面を表示装置３の画面に表示する（ステップＳＢ１）。次に、スイッチ部から録画予約入力部６に録画予約が入力されたか否かを判別する（ステップＳＢ２）。録画予約が入力されたときは、情報比較部９は、録画予約情報読取部７によって録画予約入力部６から読み出された録画予約情報を抽出する（ステップＳＢ３）。また、情報比較部９は、ＥＰＧ情報読取部５によってＥＰＧ情報記憶部４から読み出されたＥＰＧ情報を抽出し（ステップＳＢ４）、さらに比較データ記憶部１０から比較データを読み出す（ステップＳＢ５）。そして、情報比較部９は抽出した録画予約情報とＥＰＧ情報とを、比較データの項目に基づいて比較して、入力された録画予約の内容が不一致であるか否かを判別する（ステップＳＢ６）。すなわち、録画予約情報とＥＰＧ情報とにおける比較データの項目に内容の一致がないか否かを判別する。
【００２３】
例えば、録画予約入力部６に入力されたユーザのデータに誤りがある場合、放送時間が変更された場合、又は、録画が有料である番組のコンテンツに対して支払いがされていない場合には、録画予約情報とＥＰＧ情報との間に内容の一致がない。内容の一致がない場合には、比較結果処理１１は不一致である項目を制御部１３に通知する。制御部１３は、その通知に基づいて、不一致である旨および録画予約情報の訂正する旨のメッセージを表示装置３の画面に表示する（ステップＳＢ７）。そして、ステップＳＢ２に移行して、新たな録画予約が入力されたか否かを判別する。新たな録画予約が入力されたときは、ステップＳＢ６までの処理を繰り返す。
ステップＳＢ６において、録画予約情報とＥＰＧ情報との間で比較データの項目に内容の一致がある場合には、録画予約入力部６から録画予約部８にその録画予約情報を送付する（ステップＳＢ８）。そして、メインルーチンに戻る。この後は、制御部１３が録画予約部８に記憶された録画予約情報に従って、図２のステップＳＡ５の録画処理を行うことになる。
【００２４】
以上のように、この第１実施形態によれば、録画予約情報とＥＰＧ情報とにおける比較データの項目に内容の一致がない場合には、不一致である旨および録画予約情報の訂正する旨のメッセージを表示することにより、入力された録画予約の放送情報を正常に録画するための補完処理を行う。したがって、時間指定によるマニュアル予約やＧコードの入力で所望の番組について録画予約をした場合に、放送時間の変更やその他の事情によって予約通りに録画できない状態を事前に回避できる。
【００２５】
次に、図２のステップＳＡ４における第２実施形態の録画予約処理の動作について、図４のフローチャートを参照して説明する。なお、この第２実施形態および後述するその他の実施形態において、制御部１３、録画予約入力部６、録画予約部８、録画予約情報読取部７、ＥＰＧ情報読取部５、情報比較部９、比較結果処理部１０の個々の動作で、第１実施形態と重複する説明は省略する。
まず、録画予約画面を表示装置３の画面に表示する（ステップＳＣ１）。次に、スイッチ部から録画予約が入力されたか否かを判別し（ステップＳＣ２）、入力されたときは、その録画予約情報を抽出する（ステップＳＣ３）。次に、ＥＰＧ情報を抽出し（ステップＳＣ４）、比較データを読み出す（ステップＳＣ５）。そして、入力された録画予約の内容が不一致であるか否かを判別する（ステップＳＣ６）。録画予約情報とＥＰＧ情報とにおける比較データの項目に内容の一致がない場合には、制御部１３はＥＰＧ情報に従って、録画予約部８における録画予約の内容を訂正する（ステップＳＣ７）。ただし、訂正するのは、入力された録画予約のデータに誤りがある場合、又は、放送時間が変更された場合であり、録画が有料である番組のコンテンツに対して支払いがされていない場合には、第１実施形態と同様に、その旨のメッセージを表示装置３の画面に表示する。
ステップＳＣ６において、録画予約情報とＥＰＧ情報とにおける比較データの項目に内容の一致がある場合、又は、ステップＳＣ７において、録画予約の内容を訂正した後は、録画予約部８にその録画予約情報を送付する。そして、メインルーチンに戻る。
【００２６】
以上のように、この第２実施形態によれば、録画予約情報とＥＰＧ情報とにおける比較データの項目に内容の一致がない場合には、ＥＰＧ情報に従って録画予約の内容を訂正することにより、入力された録画予約の放送情報を正常に録画するための補完処理を行う。したがって、時間指定によるマニュアル予約やＧコードの入力で所望の番組について録画予約をした場合に、放送時間の変更やその他の事情によって予約通りに録画できない状態を事前に回避できる。
【００２７】
次に、第３実施形態の動作について、図５のフローチャートを参照して説明する。図５は、録画予約入力部６から録画予約部８に、ＥＰＧ情報と内容が一致している録画予約情報が入力されて記憶された後に、チューナ・バックエンド１によって、新たなＥＰＧ情報が受信された場合において、図２のステップＳＡ４における録画予約処理の動作を示している。
まず、受信されたＥＰＧ情報が更新されているか否かを判別し（ステップＳＤ１）、更新されていない場合には、直ちにメインルーチンに戻るが、更新されている場合には、そのＥＰＧ情報を抽出する（ステップＳＤ２）。次に、録画予約情報を抽出し（ステップＳＤ３）、比較データを読み出す（ステップＳＤ４）。そして、録画予約情報と更新されたＥＰＧ情報とにおける比較データの項目に内容の一致がないか否かを判別する（ステップＳＤ５）。内容の一致がない場合には、不一致である旨および録画予約情報の訂正する旨のメッセージを表示装置３の画面に表示する（ステップＳＤ６）。そして、新たな録画予約が入力されたか否かを判別する（ステップＳＤ７）。新たな録画予約が入力されたときは、その録画予約情報を抽出して（ステップＳＤ８）、ステップＳＤ５に移行して、新たな録画予約情報と更新されたＥＰＧ情報とに内容の一致がないか否かを判別する。
ステップＳＤ５において、録画予約情報とＥＰＧ情報とに内容の一致がある場合には、録画予約部８にその録画予約情報を送付する（ステップＳＤ９）。そして、メインルーチンに戻る。
【００２８】
以上のように、この第３実施形態によれば、録画予約が入力された後に、更新されたＥＰＧ情報を受信して、録画予約情報とその更新されたＥＰＧ情報とにおける比較データの項目に内容の一致がない場合には、不一致である旨および録画予約情報の訂正する旨のメッセージを表示することにより、入力された録画予約の放送情報を正常に録画するための補完処理を行う。したがって、時間指定によるマニュアル予約やＧコードの入力で所望の番組について録画予約をした場合に、放送時間の変更やその他の事情によって予約通りに録画できない状態を事前に回避できる。
【００２９】
次に、録画予約処理の第４実施形態の動作について図６のフローチャートを参照して説明する。図６は、録画予約入力部６から録画予約部８に、ＥＰＧ情報と内容が一致している録画予約情報が入力されて記憶された後に、チューナ・バックエンド１によって、新たなＥＰＧ情報が受信された場合において、図２のステップＳＡ４における第４実施形態の録画予約処理の動作を示している。
まず、受信されたＥＰＧ情報が更新されているか否かを判別し（ステップＳＥ１）、更新されていない場合には、直ちにメインルーチンに戻るが、更新されている場合には、そのＥＰＧ情報を抽出する（ステップＳＥ２）。次に、録画予約情報を抽出し（ステップＳＥ３）、比較データを読み出す（ステップＳＥ４）。そして、録画予約情報と更新されたＥＰＧ情報とにおける比較データの項目に内容の一致がないか否かを判別する（ステップＳＥ５）。内容の一致がない場合には、更新されたＥＰＧ情報に従って、録画予約部８の予約内容を訂正する（ステップＳＥ６）。ただし、第２実施形態の場合と同様に、訂正するのは、入力された録画予約のデータに誤りがある場合、又は、放送時間が変更された場合であり、録画が有料である番組のコンテンツに対して支払いがされていない場合には、第３実施形態と同様に、その旨のメッセージを表示装置３の画面に表示する。
【００３０】
以上のように、この第４実施形態によれば、録画予約が入力された後に、更新されたＥＰＧ情報を受信して、録画予約情報とその更新されたＥＰＧ情報とにおける比較データの項目に内容の一致がない場合には、更新されたＥＰＧ情報に従って録画予約の内容を訂正することにより、入力された録画予約の放送情報を正常に録画するための補完処理を行う。したがって、時間指定によるマニュアル予約やＧコードの入力で所望の番組について録画予約をした場合に、放送時間の変更やその他の事情によって予約通りに録画できない状態を事前に回避できる。
【００３１】
次に、図２のステップＳＡ４における第５実施形態の録画予約処理の動作について説明する。第５実施形態は、放送情報に対して特定の録画条件が規定されている場合の録画予約処理である。例えば、著作権などの関係により録画が有料であるにもかかわらず、所定の期限（例えば、放送日の前日）までに支払いがされていない場合に、録画後の支払いを認めている番組のコンテンツに対して録画予約が入力されたときの録画予約処理の動作である。この場合においては、録画予約入力部６に入力されたユーザのデータに誤りがある場合、および、放送時間が変更された場合を除いては、録画予約情報に基づいて録画できるので、録画開始時刻になると録画が開始される。
【００３２】
しかし、録画が有料であるにもかかわらず、まだ支払いがされていないので、録画開始前若しくは録画中又は録画終了後に、録画の金額および支払い方法などの支払条件を表示装置３に表示する。録画開始前に表示された支払条件を確認して録画を中止することは可能であるが、録画が開始された後は、ユーザは支払義務を負うことになる。ユーザがその支払義務を怠った場合には、例えば、録画した放送情報に含まれている暗号を解読することができず、再生することができないこともある。従来の地上波アナログ放送と異なり、地上波ディジタル放送の場合には、放送情報に暗号を含めることが容易にできる。
【００３３】
以上のように、この第５実施形態によれば、録画予約された放送情報に対して規定されている特定の録画条件が所定の期限までに満たされているか否かを、録画予約情報およびＥＰＧ情報に基づいて比較し、特定の録画条件が所定の期限までに満たされていないことが判明した場合には、録画開始前若しくは録画中又は録画終了後に、特定の録画条件を表示装置３に表示することにより、入力された録画予約の放送情報を正常に録画するための補完処理を行う。したがって、時間指定によるマニュアル予約やＧコードの入力で所望の番組について録画予約をした場合に、放送時間の変更やその他の事情によって予約通りに録画できない状態を事前に回避できる。
【００３４】
なお、上記各実施形態においては、制御部１３、録画予約入力部６、録画予約部８、録画予約情報読取部７、ＥＰＧ情報読取部５、情報比較部９、比較結果処理部１０の協働によって、録画予約処理が実行されるようなテレビ放送の録画予約システムの構成にしたが、これら各構成要素をＣＰＵ、ＲＯＭ、ＲＡＭなどによって構成することも可能である。特に、本発明の録画予約システムをパソコンで構成した場合には、高性能のＣＰＵなどのハードウェアによって、図１に示した構成が容易に構築できる。
【００３５】
また、上記各実施形態においては、図１に示したテレビ放送の録画予約システムについて説明したが、書込み可能な不揮発性メモリが設けられたテレビ受信装置やビデオ録画装置に録画予約処理のプログラムをインストールしたり、ビデオ録画機能を有するパソコンや録画サービスを行うサーバに、インターネットなどのネットワークを介して録画予約処理のプログラムをダウンロードすることも可能である。この場合には、録画予約処理のプログラムの発明を実現できる。
【００３６】
すなわち、その録画予約処理のプログラムは、
テレビ放送の画像情報および音声情報を含む放送情報と放送情報の番組内容を案内する番組案内情報とを受信する第１のステップと、前記第１のステップによって受信された番組案内情報を第１の記憶手段に記憶する第２のステップと、前記第１の記憶手段に記憶された番組案内情報に拠らずに入力された任意の放送情報についての録画予約のチャンネルおよび録画開始から録画終了までの録画時間を録画予約情報として第２の記憶手段に記憶する第３のステップと、前記第２の記憶手段に記憶された録画予約情報と前記第１の記憶手段に記憶された番組案内情報との内容の一致を比較する第４のステップと、前記第２の記憶手段に記憶された録画予約情報と前記第１の記憶手段に記憶された番組案内情報とに内容の一致がないことが前記第４のステップの比較結果によって判明した場合には、前記入力された録画予約の放送情報を正常に録画するための補完処理を行う第５のステップと、を実行する。
【００３７】
また、上記各実施形態においては、地上波ディジタル放送を受信して録画する場合を例に採って本発明を説明したが、本発明の適用範囲は、地上波ディジタル放送を受信して録画する場合に限定されない。放送衛星（ＢＳ）を利用したＢＳディジタル放送、および、通信衛星（ＣＳ）を利用したＣＳディジタル放送においても、本発明による録画予約システムおよび録画予約処理のプログラムを適用できることは明らかである。
【図面の簡単な説明】
【００３８】
【図１】本発明の第１実施形態ないし第５実施形態における録画予約システムの構成を示す図。
【図２】図１のテレビ放送の録画予約システムの動作を示すメインルーチンのフローチャート。
【図３】図２のメインルーチンにおける第１実施形態の録画予約処理のフローチャート。
【図４】図２のメインルーチンにおける第２実施形態の録画予約処理のフローチャート。
【図５】図２のメインルーチンにおける第３実施形態の録画予約処理のフローチャート。
【図６】図２のメインルーチンにおける第４実施形態の録画予約処理のフローチャート。
【符号の説明】
【００３９】
１  チューナ・バックエンド
２  グラフィックコントローラ
３  表示装置
４  ＥＰＧ情報記憶部
５  ＥＰＧ情報読取部
６  録画予約入力部
７  録画予約情報読取部
８  録画予約部
９  情報比較部
１０  比較データ記憶部
１１  比較結果処理部
１２  録画／再生装置
１３  制御部
【図１】
2005303774.tif 000003
【図２】
2005303774.tif 000004
【図３】
2005303774.tif 000005
【図４】
2005303774.tif 000006
【図５】
2005303774.tif 000007
【図６】
2005303774.tif 000008